(57)【要約】【課題】本発明は、女性らがまつげを手入れする時に使用するマスカラを提供する。【解決手段】マスカラブラッシュを使用するにおいて、人によって長いブラッシュを使用するか、または短い形態のブラッシュを使おうとする選好の差が発生されることがあるが、ローリング取っ手部を簡単に回転させる作動を通じて容易にブラッシュの長さを延長させて縮小させるようにして、その作動のための構造的な様子も単純なスクリューの回転と連動作用を通じて達成できるようにしたことを特徴とする。【選択図】図１
2012020104.tif 000002
【特許請求の範囲】
【請求項１】
内部に上下連動孔１１-１が形成されて、末端に内側の回動空間１９の内周面に形成された回転ガイド溝１８を設けた、最上端ローリング取っ手部１０;
一端に前記回動空間とガイド溝１８に挟まれる突出回動部７０とガイド突起７１を有し、内側中心部の連動制御部Ａで延長される一体型の連動ガイド管２２を有し、前記突出回動部７０の他側にスクリュー部２１を有した、中段支持取っ手部２０;
前記スクリュー部２１に対応される対応スクリュー部３１と内部に空の内蔵空間３３を有した、末端カバー管部３０;
前記ローリング取っ手部１０、支持取っ手部２０の連動孔１１-１と連動ガイド管２２を貫通する、作動ポール１２;及び
前記作動ポール１２の末端差し込み部１５に締結されるブラッシュ５０;
を含んで構成し、
前記ローリング取っ手部１０を回転させれば、内側に挟まれた作動ポール１２が垂直方向に連動して外周面に巻かれた弾性を有したブラッシュ５０を延長、縮小させるようにしたことを特徴とする、ブラッシュ長さ調節用マスカラ。
【請求項２】
連動制御部Ａは、
作動ポール１２の外周面のうち一部に複数のスクリュー山を形成した連動スクリュー部１３と;
連動スクリュー部１３に対応されるように支持取っ手部２０の内周面に形成される対応ガイド２３;からなり、
前記ローリング取っ手部１０が回転して内側の作動ポール１２が回転すれば、作動ポール１２の連動スクリュー部１３が対応するスクリューでなされた対応ガイド２３に乗って昇下降運動をして、作動ポール末端差し込み部１５に締結されたブラッシュ５０の長さを延長するか、または縮小させることを特徴とする、請求項１に記載のブラッシュ長さ調節用マスカラ。
【請求項３】
前記ローリング取っ手部１０の連動孔１１-１は多角形で形成して、挿入される作動ポール１２の末端にも対応される多角形のガイド部１１を形成して、作動ポール１２の垂直方向の連動は許容するが、回転は遮断させることを特徴とする請求項１に記載のブラッシュ長さ調節用マスカラ。
【請求項４】
作動ポール１２の末端差し込み部１５にブラッシュ５０の一側端を結合して、他側端は連動ガイド管２２の末端に回動可能に結合された回転チップ(Ｋ)に締結して、作動ポール１２の回転連動運動によってブラッシュ５０が長さ延長と縮小のみを遂行できるようにしたことを特徴とする請求項１に記載のブラッシュ長さ調節用マスカラ。
【請求項５】
作動ポール１２の末端差し込み部１５にブラッシュ５０の一側端を結合して、他側端は連動ガイド管２２の末端に堅く結合された固定チップ(Ｐ)に締結して、作動ポール１２の回転連動運動によってブラッシュ５０が長さ延長と縮小と共に胴体を捩じる作動も遂行できるようにしたことを特徴とする請求項１に記載のブラッシュ長さ調節用マスカラ。
【請求項６】
ブラッシュ５０は、
弾性力と復元力を備えたゴム、シリコン及び合成樹脂材質が使用されることを特徴とする請求項１に記載のブラッシュ長さ調節用マスカラ。
【請求項７】
ローリング取っ手部１０の外周面に形成される定規６２;
支持取っ手部２０の外周面に形成される基準バー６１;によってブラッシュ５０の延長と縮小の程度を見積ることができるようにしたことを特徴とする請求項１に記載のブラッシュ長さ調節用マスカラ。
【請求項８】
ローリング取っ手部１０の外周面にはゴムパッド４０を形成してすべりを防止したことを特徴とする請求項１に記載のブラッシュ長さ調節用マスカラ。
【請求項９】
内部に上下連動孔１１-１が形成されて、末端に内側の回動空間１９内周面に形成された回転ガイド溝１８が形成されて、連動孔１１-１で延長されて下端に突出される連動制御部Ａを含む最上端支持取っ手部１０;
一端に前記回動空間１９とガイド溝１８に挟まれる突出回動部７０とその外周面に形成されるガイド突起７１を有して、内側中心部の作動空間２７と連通された状態で延長される一体型の連動ガイド管２２が形成されて、前記突出回動部７０他側にスクリュー部２１を有した中段ローリング取っ手部２０;
前記スクリュー部２１に対応される対応スクリュー部３１と内部に空の内蔵空間３３を有した末端カバー管部３０;
前記支持取っ手部１０、ローリング取っ手部２０の連動孔１１-１と連動ガイド管２２を貫通して、連動制御部Ａを含む作動ポール１２;及び
前記作動ポール１２の末端差し込み部１５に締結されるブラッシュ５０;
を含んで構成し、
前記ローリング取っ手部２０を回転させれば、内側に挟まれた作動ポール１２が垂直方向に連動して、外周面に巻かれた弾性を有したブラッシュ５０を延長、縮小させるようにしたことを特徴とするブラッシュ長さ調節用マスカラ。
【請求項１０】
連動制御部Ａは、
作動ポール１２の外周面のうち一部に複数のスクリュー山を形成した連動スクリュー部１３と;
連動スクリュー部１３に対応されるように支持取っ手部１０の連動孔１１-１と連通されて、内周面に形成される対応ガイド２３;からなり、
前記ローリング取っ手部２０が回転して内側の作動ポール１２が回転すれば、作動ポール１２の連動スクリュー部１３が対応するスクリューでなされた対応ガイド２３に乗って昇下降運動をして、作動ポール１２末端差し込み部１５に締結されたブラッシュ５０の長さを延長するか、または縮小させることを特徴とする請求項９に記載のブラッシュ長さ調節用マスカラ。
【請求項１１】
前記ローリング取っ手部２０の作動空間２７は多角形で形成して、挿入される作動ポール１２の外周面にも対応される多角形のガイド部１７を形成して、作動ポール１２の垂直方向の連動は許容するが、回転は遮断させることを特徴とする請求項９に記載のブラッシュ長さ調節用マスカラ。
【請求項１２】
作動ポール１２の末端差し込み部１５にブラッシュ５０の一側端を結合して、他側端は連動ガイド管２２の末端に回動可能に結合された回転チップ(Ｋ)に締結して、作動ポール１２の回転連動運動によってブラッシュ５０が長さ延長と縮小のみを遂行できるようにしたことを特徴とする請求項９に記載のブラッシュ長さ調節用マスカラ。
【請求項１３】
作動ポール１２の末端差し込み部１５にブラッシュ５０の一側端を結合して、他側端は連動ガイド管２２の末端に堅く結合された固定チップ(Ｐ)に締結して、作動ポール１２の回転連動運動によってブラッシュ５０が長さ延長と縮小と共に胴体を捩じる作動も遂行できるようにしたことを特徴とする請求項９に記載のブラッシュ長さ調節用マスカラ。
【請求項１４】
ブラッシュ５０は、
弾性力と復元力を備えたゴム、シリコン及び合成樹脂材質が使用されることを特徴とする請求項９に記載のブラッシュ長さ調節用マスカラ。
【請求項１５】
ローリング取っ手部２０の外周面に形成される定規６２;
支持取っ手部１０の外周面に形成される基準バー６１;によってブラッシュ５０の延長と縮小の程度を見積ることができるようにしたことを特徴とする請求項９に記載のブラッシュ長さ調節用マスカラ。
【請求項１６】
ローリング取っ手部２０の外周面にはゴムパッド４０を形成してすべりを防止したことを特徴とする請求項９に記載のブラッシュ長さ調節用マスカラ。
【発明の詳細な説明】
【技術分野】
【０００１】
本発明は、女性らがまつげを手入れする時に使用するマスカラに関するものである。
特に、マスカラブラッシュを使用するにおいて、使用者のまぶた(eyelid)の長さによってブラッシュ部分の長さが長いブラッシュを使用するか、またはブラッシュ部分の長さが短いブラッシュを使おうとする選好の差が発生されることがあるが、本発明では、簡単に取っ手部を簡単に回転させる作動を通じて容易にブラッシュの長さを延長させて(lengthen)、縮めさせることができるようにして、その作動のための構造的な様子も単純なスクリューの回転と連動作用を通じて達成できるようにしたブラッシュ長さ調節用マスカラに関するものである。
【背景技術】
【０００２】
一般に、マスカラとは、女性らがまつげ(eyelashes)の化粧のために設けられた道具である。まつげをより滑らかではっきりと強調して目の輪郭を現われるようにするためにまつげに濃い黒い色の化粧をするための道具である。このようなマスカラの場合、使用者によってまつげの長さや稠密度が異なって、またまつげが形成されたまぶたの長さが異なって、多様な形態のマスカラが用意されて使われなければならない。
【０００３】
すなわち、マスカラを利用するにおいて、使用者のまつげが形成されたまぶたの長さによってこれに合うブラッシュ長さを有したマスカラを使用してする。
仮に、小さな長さのブラッシュマスカラを利用して化粧をするようになれば、何回の上塗りを必須に加えなければならないし、この上塗りの過程でまつげが均一に化粧されることができない部分が発生される素地が多い。
まつげの部位によって塗布されたマスカラ液の量が変わって美感をいかしにくい場合が多い。一回塗られたマスカラ液は再び洗い出して塗りにくい。顔に全面的に滲むためにできるだけ水がつかないことが望ましい。
【０００４】
したがって、マスカラのブラッシュ製造社の立場で多様な消費者の特性に相応しい多様な形態と構造のマスカラを製造する煩わしさがあったし、このような多様なマスカラ製造は過多な製造費用が必要となって、大量生産の難しさを生むようになる。
【０００５】
これを解決するために従来には前記マスカラブラッシュの長さを調節することができるマスカラが開発されたことがあるが、設計上の問題点によって使用者の立場で不便な点が多かった。
【発明の概要】
【発明が解決しようとする課題】
【０００６】
本発明は、女性らがまつげを手入れする時に使用するマスカラに関するものであり、マスカラブラッシュを使用するにおいて、人によってまつげが形成されるまぶたの長さに合うブラッシュを使おうとする選好の差が発生されることができるが、本発明では取っ手部を簡単に回転させる作動を通じて容易にブラッシュの長さを延長させて縮小させるようにして、その作動のための構造的な様子も単純なスクリューの回転と連動作用を通じて達成できるようにしたブラッシュ長さ調節用マスカラを提供しようとする。
【課題を解決するための手段】
【０００７】
本発明によるブラッシュ長さ調節用マスカラは、内部に上下連動孔１１-１が形成されて、末端に内側の回動空間１９内周面に形成された回転ガイド溝１８が形成された最上端ローリング取っ手部１０;一端に前記回動空間とガイド溝１８に挟まれる突出回動部７０とガイド突起７１を有して、内側中心部の連動制御部Ａで延長される一体型の連動ガイド管２２を有して、前記突出回動部７０他側にスクリュー部２１を有した中段支持取っ手部２０;前記スクリュー部２１に対応される対応スクリュー部３１と内部に空の内蔵空間３３を有した末端カバー管部３０;前記ローリング取っ手部１０、支持取っ手部２０の連動孔１１-１と連動ガイド管２２を貫通する作動ポール１２;及び前記作動ポール１２の末端差し込み部１５に締結されるブラッシュ５０;を含んで構成されて、前記ローリング取っ手部１０を回転させれば、内側に挟まれた作動ポール１２が垂直方向に連動して外周面に巻かれた弾性を有したブラッシュ５０を延長、縮小させるようにする。
【０００８】
また、本発明のブラッシュ長さ調節用マスカラによる、連動制御部Ａは、作動ポール１２の外周面のうち一部に複数のスクリュー山を形成した連動スクリュー部１３と;連動スクリュー部１３に対応されるように支持取っ手部２０の内周面に形成される対応ガイド２３で;なされて前記ローリング取っ手部１０が回転して内側の作動ポール１２が回転すれば、作動ポール１２の連動スクリュー部１３が対応するスクリューでなされた対応ガイド２３に乗って昇下降運動をして、作動ポール末端差し込み部１５に締結されたブラッシュ５０の長さを延ばすか、または縮めて:前記ローリング取っ手部１０の連動孔１１-１は多角形で形成して、挿入される作動ポール１２の末端にも対応される多角形のガイド部１１を形成して、作動ポール１２の垂直方向の連動は許容するが、回転は遮断させて:作動ポール１２の末端差し込み部１５にブラッシュ５０の一側端を結合して、他側端は連動ガイド管２２の末端に回動可能に結合された回転チップ(Ｋ)に締結して、作動ポール１２の回転連動運動によってブラッシュ５０が長さ延長と縮小のみを遂行するようにする。
【０００９】
また本発明のブラッシュ長さ調節用マスカラによる、作動ポール１２の末端差し込み部１５にブラッシュ５０の一側端を結合して、他側端は連動ガイド管２２の末端に堅く結合された固定チップ(Ｐ)に締結して、作動ポール１２の回転連動運動によってブラッシュ５０が長さ延長と縮小と共に胴体を捩じる作動も遂行するようにして:ブラッシュ５０は、弾性力と復元力を備えたゴム、シリコン及び合成樹脂材質が使われて:ローリング取っ手部１０の外周面に形成される定規６２;支持取っ手部２０の外周面に形成される基準バー６１;によってブラッシュ５０の延長と縮小の程度を見積るようにする。
また、本発明のブラッシュ長さ調節用マスカラによる、ローリング取っ手部１０の外周面にはゴムパッド４０を形成してすべりを防止する。
【００１０】
また、本発明の他の実施例によるブラッシュ長さ調節用マスカラは、内部に上下連動孔１１-１が形成されて、末端に内側の回動空間１９内周面に形成された回転ガイド溝１８が形成されて、連動孔１１-１から延長されて下端に突出される連動制御部Ａを含む最上端支持取っ手部１０;一端に前記回動空間１９とガイド溝１８に挟まれる突出回動部７０とその外周面に形成されるガイド突起７１を有して、内側中心部の作動空間２７と連通された状態で延長される一体型の連動ガイド管２２が形成されて、前記突出回動部７０他側にスクリュー部２１を有した中段ローリング取っ手部２０;前記スクリュー部２１に対応される対応スクリュー部３１と内部に空の内蔵空間３３を有した末端カバー管部３０;前記支持取っ手部１０、ローリング取っ手部２０の連動孔１１-１と連動ガイド管２２を貫通して連動制御部Ａを含む作動ポール１２;及び前記作動ポール１２の末端差し込み部１５に締結されるブラッシュ５０;を含んで構成されて、前記ローリング取っ手部２０を回転させれば、内側に挟まれた作動ポール１２が垂直方向に連動して外周面に巻かれた弾性を有したブラッシュ５０を延長、縮小させるようにする。
【００１１】
また、本発明のブラッシュ長さ調節用マスカラによる、連動制御部Ａは、作動ポール１２の外周面のうち一部に複数のスクリュー山を形成した連動スクリュー部１３と;連動スクリュー部１３に対応されるように支持取っ手部１０の連動孔１１-１と連通されて内周面に形成される対応ガイド２３;でなされて前記ローリング取っ手部２０が回転して内側の作動ポール１２が回転すれば、作動ポール１２の連動スクリュー部１３が対応するスクリューでなされた対応ガイド２３に乗って昇下降運動をして作動ポール１２末端差し込み部１５に締結されたブラッシュ５０の長さを延長するか、または縮めて:前記ローリング取っ手部２０の作動空間２７は多角形で形成して、挿入される作動ポール１２の外周面にも対応される多角形のガイド部１７を形成して、作動ポール１２の垂直方向の連動は許容するが回転は遮断させて:作動ポール１２の末端差し込み部１５にブラッシュ５０の一側端を結合して、他側端は連動ガイド管２２の末端に回動可能に結合された回転チップ(Ｋ)に締結して、作動ポール１２の回転連動運動によってブラッシュ５０が長さ延長と縮小のみを遂行するようにする。
【００１２】
また、本発明のブラッシュ長さ調節用マスカラによる、作動ポール１２の末端差し込み部１５にブラッシュ５０の一側端を結合して、他側端は連動ガイド管２２の末端に堅く結合された固定チップ(Ｐ)に締結して作動ポール１２の回転連動運動によってブラッシュ５０が長さ延長と縮小と共に胴体を捩じる作動も遂行するようにして:ブラッシュ５０は、弾性力と復元力を備えたゴム、シリコン及び合成樹脂材質が使われて:ローリング取っ手部２０の外周面に形成される定規６２;支持取っ手部１０の外周面に形成される基準バー６１;によってブラッシュ５０の延長と縮小の程度を見積るようにする。
【００１３】
また、本発明のブラッシュ長さ調節用マスカラによる、ローリング取っ手部２０の外周面にはゴムパッド４０を形成してすべりを防止する。
【発明の効果】
【００１４】
本発明によるマスカラは、簡単に取っ手部を回転させることでマスカラブラッシュの長さを長くまたは短く形成させることができるし、使用時ごとにその長さを再び調節することができるために使用することが便利であるという長所がある。
また、本発明によるマスカラは、ブラッシュの長さ変形の方式でスクリューの回転と前進運動を採択したために、その使用が便利でありながらも正確で、耐久性が高いという長所がある。
【００１５】
また、本発明によって、マスカラブラッシュの長さを直接的に測ってみるか、または尺度して見なくても、取っ手部に形成された認識表示だけで、その長さを見積ることができるのにより正確なまつげ化粧が可能であるという長所がある。
また、本発明によって、マスカラブラッシュの長さを延長して、縮小させる作動だけではなくて、そのマスカラブラッシュを捩って多様な形態のブラッシュ毛の外形を形成することができるために、使用者が便利な形態のブラッシュで使用することができるという長所がある。
【図面の簡単な説明】
【００１６】
【図１】本発明のマスカラに対する第１実施例を断面して示した図面である。
【図２ａ】本発明の第１実施例を分解して示した斜視図である。
【図２ｂ】本発明の第１実施例を分解して示した斜視図である。
【図３ａ】本発明の第１実施例のマスカラを断面して内部を見せた図面である。
【図３ｂ】本発明の第１実施例のマスカラを断面して内部を見せた図面である。
【図４】本発明の第１実施例のマスカラがブラッシュを縮小して拡大させた様子を示した図面である。
【図５】本発明の第１実施例のマスカラに形成された認識表示を示した図面である。
【図６】本発明の第１実施例のマスカラの腰部を一部切開して示した図面である。
【図７】本発明の第２実施例によるマスカラの内部を示した図面である。
【図８】本発明の第２実施例によるマスカラを分解して示した断面図である。
【図９】本発明の第２実施例によるマスカラがブラッシュを縮めた様子を示した図面である。
【図１０】本発明の第２実施例によるマスカラに形成された認識表示を示した図面である。
【図１１】本発明の第２実施例によるマスカラを一部切開して示した図面である。
【発明を実施するための形態】
【００１７】
以下、本発明の構成とその作動を示された図１ないし図１１のように詳しく説明する。
【００１８】
本発明は、示された図１ないし図６のように内部に上下連動孔１１-１が形成されて、末端に内側の回動空間１９内周面に形成された回転ガイド溝１８が形成された最上端ローリング取っ手部１０があって、一端に前記回動空間とガイド溝１８に挟まれる突出回動部７０とガイド突起７１を有して、内側中心部の連動制御部Ａから延長される一体型の連動ガイド管２２を有して、前記突出回動部７０他側にスクリュー部２１を有した中段支持取っ手部２０があって、前記スクリュー部２１に対応される対応スクリュー部３１と内部に空の内蔵空間３３を有した末端カバー管部３０がある。また、前記ローリング取っ手部１０、支持取っ手部２０の連動孔１１-１と連動ガイド管２２を貫通する作動ポール１２があって、前記作動ポール１２の末端差し込み部１５に締結されるブラッシュ５０がある。したがって、これらが結合して、前記ローリング取っ手部１０を回転させれば、内側に挟まれた作動ポール１２が垂直方向に連動して外周面に巻かれた弾性を有したブラッシュ５０を延長、縮小させるようにしたものである。
【００１９】
まず本発明は、二つの実施形態でなされている。すべて等しい作動をして、等しい目的を達成する。両方が取っ手部をローリングさせる方式でその作動ポール１２を延長させて縮小させるようにして、それによって末端のブラッシュ５０の長さを延長して縮小させる方向で作動をする。しかし、その構造的な形態が異なる。したがって、本発明では示された図１ないし図６の第１実施例を先ず説明して、図７ないし図１１の第２実施例を後で説明する。
【００２０】
第１実施例のマスカラは示されたところのように、ローリング取っ手部１０、支持取っ手部２０、カバー管部３０、作動ポール１２及びブラッシュ５０でなされる。示された図面を基準で最上端がローリング取っ手部１０であり、その下端に支持取っ手部２０が結合された状態を維持して、前記支持取っ手部２０の下端で一体形態に突出された連動ガイド管２２がある。また、前記連動ガイド管２２を貫通して下向する作動ポール１２とブラッシュ５０があって、前記カバー管部３０と作動ポール１２、ブラッシュ５０を必要時ごとに閉めることができるカバー管部３０が挟まれて結合された形態である。もちろん、前記カバー管部３０の内側にはマスカラ液を盛っていて前記ブラッシュ５０が前記カバー管部３０に挟まれた状態ではそのブラッシュ５０にマスカラ液をいっぱい吸収した状態を維持して、そのブラッシュ５０を抜いてまつげを化粧する方式で使用される。
【００２１】
その作動の方式を細密に説明する。第１実施例のマスカラ１００は、最上端に位置したローリング取っ手部１０に支持取っ手部２０が結合された状態である。ローリング取っ手部１０の下端に形成されるガイド溝１８に支持取っ手部２０の上端である突出回動部７０が挟まれるが、前記ガイド溝１８の内周面で形成されたガイド溝１８に突出回動部７０の外周面で直径を拡大したガイド突起７１が挟まれる方式で結合される。したがって、前記ローリング取っ手部１０を使用者が取って回転をさせるようになれば、突出回動部７０のガイド突起７１がガイド溝１８をして移動しながら自然に回転をする方式である。
【００２２】
この時、前記ローリング取っ手部１０の内側連動孔１１-１には示された作動ポール１２の上端が挟まれて結合された状態である。したがって、前記作動ポール１２も等しい回転を維持するようになる。前記作動ポール１２の他端である最下端にはブラッシュ５０が締結されている。ブラッシュ５０の一側端が作動ポール１２の差し込み部１５に挟まれた状態であるために、作動ポール１２と等しい方向に連動ができるようになっている。結局、前記ローリング取っ手部１０が回転をすれば、その内側で挟まっていた作動ポール１２も回転をして、その回転によって作動ポール１２の一側外周面と支持取っ手部２０の内側に形成される連動制御部Ａの作動によって作動ポール１２は回転運動と共に垂直方向の連動運動も同時に達成される。前記連動制御部Ａは、スクリュー作動を通じて回転運動を垂直連動運動に変換させる作動を遂行するようになっている。
【００２３】
したがって、本発明のマスカラ１００は、前記最上端のローリング取っ手部１０を回転させる作動を通じて、その内側の作動ポール１２を垂直方向に下向させながら、その末端に結合されているブラッシュ５０の長さを延長させるものである。この作動ポール１２は、支持取っ手部２０の連動ガイド管２２に収容された状態であるために前記連動ガイド管２２に乗って上昇して下降する。
【００２４】
より詳しく前記ブラッシュ５０が延長されて縮まる様子を図４と共に説明する。
初めに(縮小)の位置にあった作動ポール１２とブラッシュ５０は、最上端のローリング取っ手部１０を回転させるようになれば、前記ローリング取っ手部１０の内側に挟まっていた作動ポール１２が等しい回転をして、その回転によって連動制御部Ａが作動をする。すなわち、回転運動を垂直方向の連動運動に転換させるものである。この作用は、作動ポール１２を(拡大)の図面でのように下向させる状態で作動をして、作動ポール１２を垂直された方向に押してくれる状態に移動させるようになる。もちろん、前記連動ガイド管２２の末端に一側が結合されたブラッシュ５０は他側端の作動ポール１２差し込み部の引張力によって増えて示された(拡大)図面でのようにブラッシュ５０を延長させるものである。
【００２５】
すなわち、使用者がより長いブラッシュ５０でまつげの化粧をしようとしたら、示された(拡大)のようにそのブラッシュ５０を延長させて、短い長さのブラッシュで化粧をしようとしたら(縮小)のように短いブラッシュ５０を使用する。
【００２６】
それでは、このような作動を達成する連動制御部Ａのより詳細な構成と作動を説明する。
本発明の連動制御部Ａは、作動ポール１２の外周面のうち一部に複数のスクリュー山を形成した連動スクリュー部１３があって、連動スクリュー部１３に対応されるように支持取っ手部２０の内周面に形成される対応ガイド２３がある。したがって、前記ローリング取っ手部１０が回転して内側の作動ポール１２が回転すれば、作動ポール１２の連動スクリュー部１３が対応するスクリューでなされた対応ガイド２３に乗って昇下降運動をして、作動ポール末端差し込み部１５に締結されたブラッシュ５０の長さを延長するか、または縮小させるものである。
【００２７】
本発明の連動制御部Ａは、とても簡単で単純な形態に製作される。作動ポール１２の外周面のうち一側には、示されたもののように連動スクリュー部１３が形成されている。そして、前記支持取っ手部２０の内部には対応する対応ガイド２３が形成されている。連動スクリュー部１３はボルトのように突出された突起の形態でなされて、対応ガイド２３は前記連動スクリュー部１３と対応されるスクリュー溝の形態でなされる。前記連動スクリュー部１３が対応ガイド２３の溝に沿って回転しながら垂直方向の昇下降を達成するものである。とても単純でありながらも簡単な構造的な差し込み結合で垂直連動運動をする。
【００２８】
この時、前記作動ポール１２とローリング取っ手部１０の挟み構造は相当に重要である。前記ローリング取っ手部１０の連動孔１１-１は多角形で形成して、挿入される作動ポール１２の末端にも対応される多角形のガイド部１１を形成して、作動ポール１２の垂直方向の連動は許容するが回転は遮断させる。
ローリング取っ手部１０の内部に形成された連動孔１１-１に挟まれる作動ポール１２の上端(末端)は対応された形状である。すなわち、示された図２と図６には、作動ポール１２の上端ガイド部１１の形態を四角形に示しているが、本発明では四角形だけではなく、三角形や八角形で形成しても関係ない。本発明の作動ポール１２はローリング取っ手部１０の回転によって等しい回転を維持しなければならないために、円形のガイド部１１を形成しないで多角形の形状を取ったものである。もちろん、連動孔１１-１の内周面も対応されるように形成して、ローリング取っ手部１０の回転が作動ポールの回転を達成できるようにする。
【００２９】
重要な点は、前記作動ポール１２は垂直方向で連動運動にならなければならないために連動孔の内周面と作動ポール１２のガイド部１１は完璧に締結された状態を維持してはいけない。ガイド部１１は連動孔１１-１の内周面に乗って上昇と下降の垂直連動運動は許容されながら回転が可能でなければならないものである。
【００３０】
それでは、このような回転がブラッシュ５０の延長と縮小ができるようにする構造的な方法を説明する。すなわち、本発明では前記作動ポール１２の末端差し込み部１５にブラッシュ５０の一側端を結合して、他側端は連動ガイド管２２の末端に回動可能に結合された回転チップ(Ｋ)に締結して、作動ポール１２の回転連動運動によってブラッシュ５０が長さ延長と縮小のみを遂行できるようにする。
【００３１】
作動ポール１２の末端には示されたところのように、内側に陷沒された溝の形態である差し込み部１５が形成される。この差し込み部１５にはブラッシュ５０の一側端が結合された状態である。したがって、前記作動ポール１２が垂直方向に連動運動をすれば、前記差し込み部１５がブラッシュ５０を取って等しい方向に移動をさせるようになる。この時に前記ブラッシュ５０の他側端は、連動ガイド管２２の末端に回転チップ(Ｋ)を通じて結合されている。したがって、前記作動ポール１２の末端差し込み部１５がブラッシュ５０の一側端を取って下向をしながら下がるようになって、他側端は連動ガイド管２２の端に結合されているために、ブラッシュ５０が伸びる結果をもたらすようになるものである。もちろん、逆方向のローリング取っ手部１０の回転はブラッシュ１０がその長さを縮小する結果をもたらす。
【００３２】
この時に重要な点は、前記回転チップ(Ｋ)にある。前記回転チップ(Ｋ)はブラッシュ５０の一側を取っていながら、その位置をいつも固定された水準に留まるようにするが、回転は可能で作動ポール１２の回転運動は吸収して縺れないようにする。作動ポール１２が右側に回転をするか、または左側に回転をしても回転チップ(Ｋ)がその回転運動を軸受のように収容をしてブラッシュ５０が縺れる現象を遮断してくれるものである。
【００３３】
これとは異なり本発明のブラッシュ５０は、その毛らが縺れるように作動させることもできる。すなわち、作動ポール１２の末端差し込み部１５にブラッシュ５０の一側端を結合して、他側端は連動ガイド管２２の末端に堅く結合された固定チップ(Ｐ)に締結して、作動ポール１２の回転連動運動によってブラッシュ５０が長さ延長と縮小と共に胴体を捩じる作動も遂行できるようにしたものである。
作動の方式は前述された回転チップ(Ｋ)と等しいが、この実施例は示された図６でのように固定チップ(Ｐ)で連動ガイド管２２にブラッシュ５０を堅く締結して垂直上昇運動だけではなくて、回転も遮断するようになる。ブラッシュ５０の一側は作動ポール１２の末端差し込み部１５に挟まれて固定されて、他側は固定チップ(Ｐ)を通じて連動ガイド管２２の末端に締結された状態であるために、前記作動ポール１２が回転をしながら下向するようになれば、長さが延長されながら胴体を捩じるようになるものである。
【００３４】
このブラッシュ５０が胴体を捩じるようになれば、一律的にブラッシュ５０の毛が突出された状態を維持するものではなくて、お互いに縺れながら多少不規則な毛が突出された形状を維持するためにまつげの化粧に多様性を追い求めることができる。
【００３５】
前述されたブラッシュ５０の延長と縮小及び回転の容易性と縺れの容易性のために本発明のブラッシュ５０は、弾性力と復元力を備えたゴム、シリコン及び合成樹脂材質が使用されることが望ましい。作動ポール１２がブラッシュ５０の一側端を取って伸ばすようになれば、ブラッシュ５０はその作用によって容易に長さを延長させることができる弾性力を持たなければならない。また、作動ポール１２がその長さを縮小させながら上昇するようになる時、そのブラッシュ５０は等しくその長さを減らしながら復元されなければならない。このためにブラッシュ５０の材質は、弾性を有した材質が使われなければならないものである。
弾性を持ちながらまつげ化粧を容易にして、適量のマスカラ液を吸収することができる材質であるゴム、シリコン及び合成樹脂材質を使用する理由がそれである。
【００３６】
付け加えて、本発明では示された図５でのように、ローリング取っ手部１０の外周面に形成される定規６２が形成されていて、支持取っ手部２０の外周面に形成される基準バー６１が形成されている。したがって、前記ブラッシュ５０の延長と縮小の程度を見積ることができるようにする。前記ローリング取っ手部１０を回転させるようになれば、ブラッシュ５０がその長さを延ばすか、または縮小させる。これを目で正確に確認できるようにしたものである。
ローリング取っ手部１０に形成された定規を見ながら対応される支持取っ手部２０の基準バー６１との度盛りを合わせる方式でブラッシュ５０の長さを正確に測定して調節するものである。このような方式に従ってより正確なブラッシュ５０長さを見積ることができるようになる。
【００３７】
本発明の第１実施例の技術的思想で前記ローリング取っ手部１０の外周面にはゴムパッド４０を形成してすべりを防止する。示された図１ないし図６でのように、使用者は取っ手部のうちで支持取っ手部２０を左手や右手の指で取って他側手の指を利用して、末端のローリング取っ手部１０を回転させるものである。この時、前記ローリング取っ手部１０外周面に結合されたゴムパッド４０を取るのに滑らないで容易に回転させることができる。
【００３８】
次に本発明の第２実施例を説明する。この第２実施例は事実上第１実施例と等しい目的と効果を達成する。その構成に少しの差があり、作動方式が異なる。すなわち、前述された第１実施例は、最上端にローリング取っ手部１０を形成して、その下端の支持取っ手部２０を取ってローリング取っ手部１０を他側指を利用して回転させる方式であるが、第２実施例は、最上端の支持取っ手部２０を取って連結されたローリング取っ手部１０を回転させて、作動ポール１２を延ばして縮小させる方式である。したがって、この主な差異を念頭において説明する。
【００３９】
第２実施例のマスカラは示された図７ないし図１１でのように、内部に上下連動孔１１-１が形成されて、末端に内側の回動空間１９内周面に形成された回転ガイド溝１８が形成されて、連動孔１１-１で延長されて下端に突出される連動制御部Ａを含む最上端支持取っ手部１０があって、一端に前記回動空間１９とガイド溝１８に挟まれる突出回動部７０とその外周面に形成されるガイド突起７１を有して、内側中心部の作動空間２７と連通された状態で延長される一体型の連動ガイド管２２が形成されて、前記突出回動部７０他側にスクリュー部２１を有した中段ローリング取っ手部２０があって、前記スクリュー部２１に対応される対応スクリュー部３１と内部に空の内蔵空間３３を有した末端カバー管部３０がある。また、前記支持取っ手部１０、ローリング取っ手部２０の連動孔１１-１と連動ガイド管２２を貫通して、連動制御部Ａを含む作動ポール１２があって、前記作動ポール１２の末端差し込み部１５に締結されるブラッシュ５０がある。したがって、前記ローリング取っ手部２０を回転させれば、内側に挟まれた作動ポール１２が垂直方向に連動して外周面に巻かれた弾性を有したブラッシュ５０を延長、縮小させるようにする。
【００４０】
第２実施例のマスカラは示されたところのように、支持取っ手部１０、ローリング取っ手部２０、カバー管部３０、作動ポール１２及びブラッシュ５０でなされる。示された図面を基準で最上端が支持取っ手部１０であり、その下端にローリング取っ手部２０が結合された状態を維持して、前記ローリング取っ手部２０の下端で一切の形態に突出された連動ガイド管２２がある。また、前記連動ガイド管２２を貫通して下向する作動ポール１２とブラッシュ５０があって、前記カバー管部３０と作動ポール１２、ブラッシュ５０を必要時ごとに閉めることができるカバー管部３０が挟まれて結合された形態である。もちろん、前記カバー管部３０の内側にはマスカラ液を盛っていて前記ブラッシュ５０が前記カバー管部３０に挟まれた状態ではそのブラッシュ５０にマスカラ液をいっぱい吸収した状態を維持して、そのブラッシュ５０を抜いてまつげを化粧する方式で使用される。
【００４１】
その作動の方式を細密に説明する。第２実施例のマスカラ１００は、最上端に位置した支持取っ手部１０にローリング取っ手部２０が結合された状態である。支持取っ手部１０の下端に形成されるガイド溝１８にローリング取っ手部２０の上端である突出回動部７０が挟まれるが、前記ガイド溝１８の内周面で形成されたガイド溝１８に突出回動部７０の外周面で直径を拡大したガイド突起７１が挟まれる方式に結合される。したがって、前記ローリング取っ手部２０を使用者が取って回転をさせるようになれば、突出回動部７０のガイド突起７１がガイド溝１８に沿って移動しながら自然に回転する方式である。
【００４２】
この時、前記ローリング取っ手部２０の内側作動空間２７には示された作動ポール１２が挟まれている。したがって、前記作動ポール１２も等しい回転を維持するようになる。前記作動ポール１２の他端である最下端にはブラッシュ５０が締結されている。ブラッシュ５０の一側端が作動ポール１２の差し込み部１５に挟まれた状態であるために作動ポール１２と等しい方向で連動ができるようになっている。結局、前記ローリング取っ手部２０が回転をすれば、その内側で挟まっていた作動ポール１２も回転して、その回転によって作動ポール１２の一側外周面とローリング取っ手部２０の内側に形成される連動制御部Ａの作動によって作動ポール１２は回転運動と共に垂直方向の連動運動も同時に達成される。前記連動制御部Ａは、スクリュー作動を通じて回転運動を垂直連動運動に変換させる作動を遂行するようになっている。
【００４３】
よって、本発明のマスカラ１００は、前記ローリング取っ手部２０を回転させる作動を通じて、その内側の作動ポール１２を垂直方向で下向させながら、その末端に結合されているブラッシュ５０の長さを延長させるものである。この作動ポール１２は支持取っ手部１０とローリング取っ手部２０の連動ガイド管２２に収容された状態であるために前記連動ガイド管２２に乗って上昇して下降する。
【００４４】
より詳しく前記ブラッシュ５０が延長されて縮まる様子を図７と図９と共に説明する。
初めに図９でのように(縮小)の位置にあった作動ポール１２とブラッシュ５０は、中段のローリング取っ手部２０を回転させるようになれば、前記ローリング取っ手部２０の内側に挟まっていた作動ポール１２が等しい回転をして、その回転によって連動制御部Ａが作動をする。すなわち、回転運動を垂直方向の連動運動に転換させるものである。この作用は作動ポール１２を図７の延長された図面のように下向させる状態で作動をして、作動ポール１２を垂直された方向で押してくれる状態に移動させるようになる。もちろん、前記連動ガイド管２２の末端に一側が結合されたブラッシュ５０は他側端の作動ポール差し込み部１５の引張力によって増えて示された図９の図面のようにブラッシュ５０を延長させるものである。
すなわち、使用者がより長いブラッシュ５０でまつげの化粧をしようとしたら、示された図７のようにそのブラッシュ５０を延長させて使用をして、短い長さで化粧をしようとしたら図９のようにブラッシュ５０の長さを減らして使用をする。
【００４５】
それではこのような作動を達成する連動制御部Ａのより詳細な構成と作動を説明する。
本発明の連動制御部Ａは、作動ポール１２の外周面のうち一部に複数のスクリュー山を形成した連動スクリュー部１３があって、連動スクリュー部１３に対応されるように支持取っ手部１０の連動孔１１-１と連通されて、内周面に形成される対応ガイド２３がある。したがって、前記ローリング取っ手部２０が回転して内側の作動ポール１２が回転すれば、作動ポール１２の連動スクリュー部１３が対応するスクリューでなされた対応ガイド２３に乗って昇下降運動をして、作動ポール１２末端差し込み部１５に締結されたブラッシュ５０の長さを伸ばすか、または減らすものである。
【００４６】
本発明の連動制御部Ａは、とても簡単で単純な形態に製作される。作動ポール１２の外周面のうち一側には示されたところのように連動スクリュー部１３が形成されている。そして、前記ローリング取っ手部２０の内部には対応する対応ガイド２３が形成されている。連動スクリュー部１３はボルトのように突出された突起の形態でなされて、対応ガイド２３は前記連動スクリュー部１３と対応されるスクリュー溝の形態である。前記連動スクリュー部２３が対応ガイド２３の溝に沿って回転しながら垂直方向の昇下降するものである。とても単純でありながらも簡単な構造的な差し込み結合で垂直連動運動をする。
【００４７】
前記作動ポール１２とローリング取っ手部２０の挟み構造は相当に重要である。すなわち、前記ローリング取っ手部２０の作動空間２７は多角形で形成して、挿入される作動ポール１２の外周面にも対応される多角形のガイド部１７を形成して、作動ポール１２の垂直方向の連動は許容するが、回転は遮断させる。
【００４８】
ローリング取っ手部２０の内部に形成された作動空間２７に挟まれる作動ポール１２の外周面の一部は対応された形状である。すなわち、示された図１１には作動ポール１２のガイド部１７の形態を四角形に示しているが、本発明では四角形だけではなくて、三角形や八角形で形成しても関係ない。本発明の作動ポール１２はローリング取っ手部２０の回転によって等しい回転を維持しなければならないために円形のガイド部１７を形成しないで多角形の形状を取ったものである。もちろん、作動空間の内周面も対応されるように形成してローリング取っ手部２０の回転が作動ポール１２の回転を達成するようにする。
【００４９】
重要な点は、前記作動ポール１２は垂直方向で連動運動にならなければならないために、作動空間２７の内周面と作動ポール１２のガイド部１７は完璧に締結された状態を維持してはいけない。ガイド部１４７は作動空間２７の内周面に乗って上昇と下降の垂直連動運動は許容されながら回転が可能でなければならないものである。
【００５０】
それでは、このような回転がブラッシュ５０の延長と縮小ができるようにする構造的な方法を説明する。すなわち、本発明では前記作動ポール１２の末端差し込み部１５にブラッシュ５０の一側端を結合して、他側端は連動ガイド管２２の末端に回動可能に結合された回転チップ(Ｋ)に締結して、作動ポール１２の回転連動運動によってブラッシュ５０が長さ延長と縮小のみを遂行するようにする。
【００５１】
作動ポール１２の末端には示されたところのように、内側に陷沒された溝の形態である差し込み部１５が形成される。この差し込み部１５にはブラッシュ５０の一側端が結合された状態である。したがって、前記作動ポール１２が垂直方向に連動運動をすれば、前記差し込み部１５がブラッシュ５０を取って等しい方向に移動させるようになる。この時、前記ブラッシュ５０の他側端は連動ガイド管２２の末端に回転チップ(Ｋ)を通じて結合されている。したがって、前記作動ポール１２の末端差し込み部１５がブラッシュ５０の一側端を取って下向をしながら下がるようになって、他側端は連動ガイド管２２の端に結合されているために、ブラッシュ５０が伸びる結果をもたらすようになるものである。もちろん、逆方向のローリング取っ手部２０の回転はブラッシュ５０がその長さを狭める縮小の結果をもたらす。
【００５２】
この時に重要な点は、前記回転チップ(Ｋ)にある。前記回転チップ(Ｋ)はブラッシュ５０の一側を取っていながら、その位置をいつも固定された水準に留まるようにするが、回転は可能で作動ポール１２の回転運動は吸収して縺れないようにする。作動ポール１２が右側に回転をするか、または左側に回転をしても回転チップ(Ｋ)がその回転運動を軸受のように収容をして、ブラッシュ５０が縺れる現象を遮断してくれるものである。
【００５３】
これとは異なり本発明のブラッシュ５０は、その毛らが縺れるように作動させることもできる。すなわち、作動ポール１２の末端差し込み部１５にブラッシュ５０の一側端を結合して、他側端は連動ガイド管２２の末端に堅く結合された固定チップ(Ｐ)に締結して、作動ポール１２の回転連動運動によってブラッシュ５０が長さ延長と縮小と共に胴体を捩じる作動も遂行できるようにしたものである。
【００５４】
作動の方式は、前述された回転チップ(Ｋ)と等しいが、この実施例は示された図１１でのように固定チップ(Ｐ)で連動ガイド管２２にブラッシュ５０を堅く締結して、垂直上昇運動だけではなくて、回転も遮断するようになる。ブラッシュ５０の一側は作動ポール１２の末端差し込み部１５に挟まれて固定されて、他側は固定チップ(Ｐ)を通じて連動ガイド管２２の末端に締結された状態であるために、前記作動ポールが回転しながら下向するようになれば、長さが延長されながら胴体を捩じるようになるものである。
【００５５】
このブラッシュ５０が胴体を捩じるようになれば一律的にブラッシュ５０の毛が突出された状態を維持するものではなくて、お互いに縺れながら多少不規則な毛が突出された形状を維持するのにまつげの化粧に多様性を追い求めることができる。
【００５６】
前述されたブラッシュ５０の延長と縮小及び回転の容易性と縺れの容易性のために本発明のブラッシュ５０は、弾性力と復元力を備えたゴム、シリコン及び合成樹脂材質が使用されることが望ましい。作動ポール１２がブラッシュ５０の一側端を取って伸ばすようになれば、ブラッシュ５０はその作用によって容易に長さを伸ばすことができる弾性力を持たなければならない。また、作動ポール１２がその長さを縮小させながら上昇するようになる時、そのブラッシュ５０は等しくその長さを減らしながら復元されなければならない。このためにブラッシュ５０の材質は、弾性を有した材質が使われなければならないものである。
弾性を持ちながらまつげ化粧を容易にして、適量のマスカラ液を吸収することができる材質であるゴム、シリコン及び合成樹脂材質を使用する理由がそれである。
【００５７】
付け加えて、本発明では示された図１０でのように、ローリング取っ手部２０の外周面に形成される定規６２があって、支持取っ手部１０の外周面に形成される基準バー６１がある。したがって、前記ブラッシュ５０の延長と縮小の程度を見積ることができるようにする。前記ローリング取っ手部２０を回転させるようになれば、ブラッシュ５０がその長さを延ばすか、または縮小させる。これを目で正確に確認するようにしたものである。
ローリング取っ手部２０に形成された定規６２を見ながら対応される支持取っ手部１０の基準バー６１との度盛りを合わせる方式でブラッシュ５０の長さを調節するものである。このような方式に従ってより正確なブラッシュ５０長さを見積ることができるようになる。
【００５８】
本発明の第２実施例の技術的思想で前記ローリング取っ手部２０の外周面にはゴムパッド４０を形成してすべりを防止する。示された図７ないし図１１でのように、使用者は取っ手部のうちで末端の支持取っ手１０を左手や右手の指で取って他側手の指を利用して、中段のローリング取っ手部２０を回転させるものである。この時、前記ローリング取っ手部２０の外周面に結合されたゴムパッド４０を取るのに滑らないで容易に回転させることができる。
【符号の説明】
【００５９】
１０  ローリング取っ手部
１１  ガイド部
１１-１  連動孔
１２  作動ポール
１３  連動スクリュー部
１５  差し込み部
１８  ガイド溝
２０  支持取っ手部
２１  スクリュー部
２２  連動ガイド管
２３  対応ガイド
３０  カバー管部
４０  ゴムパッド
５０  ブラッシュ
５１  毛
６１  基準バー
６２  定規
Ｋ  回転チップ
Ｐ  固定チップ
【図１】
2012020104.tif 000003
【図２ａ】
2012020104.tif 000004
【図２ｂ】
2012020104.tif 000005
【図３ａ】
2012020104.tif 000006
【図３ｂ】
2012020104.tif 000007
【図４】
2012020104.tif 000008
【図５】
2012020104.tif 000009
【図６】
2012020104.tif 000010
【図７】
2012020104.tif 000011
【図８】
2012020104.tif 000012
【図９】
2012020104.tif 000013
【図１０】
2012020104.tif 000014
【図１１】
2012020104.tif 000015